(57)【特許請求の範囲】
【請求項１】
コンテナに近づいた管理者の操作による読取開始の指示の検出に基づいて、異なる２つのＲＦＩＤタグであって前記コンテナに取り付けられている前記異なるＲＦＩＤのうち一方のデータ読み取り元のＲＦＩＤタグと前記コンテナに取り付けられている前記異なるＲＦＩＤタグのうちの他方のデータ書き込み先のＲＦＩＤタグとのそれぞれから発信される信号を検出する信号検出部と、
前記異なるＲＦＩＤタグのうち一方のデータ読み取り元のＲＦＩＤタグに記録されていたデータを含む前記信号から当該データを取得し記録先に記録する記録部と、
前記異なるＲＦＩＤタグのうち一方のデータ読み取り元のＲＦＩＤタグに記録されているデータを、他方のデータ書き込み先のＲＦＩＤタグに書き込む書き込み部と、
新たな前記データ読み取り元のＲＦＩＤタグに記録されているデータを前記データ書き込み先のＲＦＩＤタグに書き込む前に、前記記録先に記録されているデータと、前記新たな前記データ読み取り元のＲＦＩＤタグに記録されているデータとを比較して、一致した場合に、当該一致の判定において用いた前記記録先に記録されているデータを格納している前記データ書き込み元のＲＦＩＤタグが取り付けられたコンテナの情報を含む警告情報を自装置に備わる表示部に出力する警告情報出力部と、
を備えるタグ管理装置。
【請求項２】
前記信号検出部は、
前記一方のデータ読み取り元のＲＦＩＤタグから第一の周波数の前記信号を検出し、前記他方のデータ書き込み先のＲＦＩＤタグから第二の周波数の前記信号を検出する
請求項１に記載のタグ管理装置。
【請求項３】
前記異なるＲＦＩＤタグからの前記信号に含まれるデータを表示するタグ情報出力部と、
を備える請求項１または２に記載のタグ管理装置。
【請求項４】
前記書き込み部は、前記他方のデータ書き込み先のＲＦＩＤタグにデータを書き込む際に、前記データ読み取り元のＲＦＩＤタグに記録されているデータを新たなデータへ変換して書き込む
請求項１から請求項３の何れか一項に記載のタグ管理装置。
【請求項５】
前記データ読み取り元のＲＦＩＤタグと、前記データ書き込み先のＲＦＩＤタグを判定するタグ判定部を備える
請求項１から４の何れか一項に記載のタグ管理装置。
【請求項６】
前記タグ判定部は、前記信号の周波数に基づいて前記データ読み取り元のＲＦＩＤタグと、前記データ書き込み先のＲＦＩＤタグを判定する
請求項５に記載のタグ管理装置。
【請求項７】
前記タグ判定部は、前記信号から検出したデータ内容に基づいて、前記データ読み取り元のＲＦＩＤタグと、前記データ書き込み先のＲＦＩＤタグを判定する
請求項５に記載のタグ管理装置。
【請求項８】
前記タグ判定部は、前記信号の電界強度に基づいて、前記データ読み取り元のＲＦＩＤタグと、前記データ書き込み先のＲＦＩＤタグを判定する
請求項５に記載のタグ管理装置。
【請求項９】
前記タグ判定部は、前記信号に基づいて特定した前記信号の発信位置に基づいて、前記データ読み取り元のＲＦＩＤタグと、前記データ書き込み先のＲＦＩＤタグを判定する
請求項５に記載のタグ管理装置。
【請求項１０】
前記書き込み部は、
前記一方のデータ読み取り元のＲＦＩＤタグに記録されているデータを、前記他方のデータ書き込み先のＲＦＩＤタグに書き込んだ後に、前記一方のデータ読み取り元のＲＦＩＤタグに記録されているデータと前記他方のデータ書き込み先のＲＦＩＤタグに記録されているデータとの同一性を確認する
請求項１から請求項９の何れか一項に記載のタグ管理装置。
【請求項１１】
タグ管理装置が、
コンテナに近づいた管理者の操作による読取開始の指示の検出に基づいて、異なる２つのＲＦＩＤタグであって前記コンテナに取り付けられている前記異なるＲＦＩＤタグのうち一方のデータ読み取り元のＲＦＩＤタグと前記コンテナに取り付けられている前記異なるＲＦＩＤタグのうちの他方のデータ書き込み先のＲＦＩＤタグとのそれぞれから発信される信号を検出し、
前記異なるＲＦＩＤタグのうち一方のデータ読み取り元のＲＦＩＤタグに記録されていたデータを含む前記信号から当該データを取得し記録先に記録し、
前記異なるＲＦＩＤタグのうち一方のデータ読み取り元のＲＦＩＤタグに記録されているデータを、他方のデータ書き込み先のＲＦＩＤタグに書き込み、
新たな前記データ読み取り元のＲＦＩＤタグに記録されているデータを前記データ書き込み先のＲＦＩＤタグに書き込む前に、前記記録先に記録されているデータと、前記新たな前記データ読み取り元のＲＦＩＤタグに記録されているデータとを比較して、一致した場合に、当該一致の判定において用いた前記記録先に記録されているデータを格納している前記データ書き込み元のＲＦＩＤタグが取り付けられたコンテナの情報を含む警告情報を自装置に備わる表示部に出力する
タグ管理方法。
【請求項１２】
タグ管理装置のコンピュータを、
コンテナに近づいた管理者の操作による読取開始の指示の検出に基づいて、異なる２つのＲＦＩＤタグであって前記コンテナに取り付けられている前記異なるＲＦＩＤタグのうち一方のデータ読み取り元のＲＦＩＤタグと前記コンテナに取り付けられている前記異なるＲＦＩＤタグのうちの他方のデータ書き込み先のＲＦＩＤタグとのそれぞれから発信される信号を検出する信号検出手段、
前記異なるＲＦＩＤタグのうち一方のデータ読み取り元のＲＦＩＤタグに記録されていたデータを含む前記信号から当該データを取得し記録先に記録する記録手段、
前記異なるＲＦＩＤタグのうち一方のデータ読み取り元のＲＦＩＤタグに記録されているデータを、他方のデータ書き込み先のＲＦＩＤタグに書き込む書き込み手段、
新たな前記データ読み取り元のＲＦＩＤタグに記録されているデータを前記データ書き込み先のＲＦＩＤタグに書き込む前に、前記記録先に記録されているデータと、前記新たな前記データ読み取り元のＲＦＩＤタグに記録されているデータとを比較して、一致した場合に、当該一致の判定において用いた前記記録先に記録されているデータを格納している前記データ書き込み元のＲＦＩＤタグが取り付けられたコンテナの情報を含む警告情報を自装置に備わる表示部に出力する警告情報出力手段、
として機能させるプログラム。
【発明の詳細な説明】
【技術分野】
【０００１】
本発明は、タグ管理装置、タグ管理方法、プログラムに関する。
【背景技術】
【０００２】
ＲＦＩＤ（radio frequency identifier）の技術によりＲＦＩＤタグにリーダライタ装置により情報を書き込む技術が近年多く利用されている。ＲＦＩＤタグとリーダライタ装置が通信を行う際の周波数はある程度定まっているが、ＲＦＩＤに使用できる周波数帯の変更などにより既にＲＦＩＤタグを取り付けた対象において新たな周波数帯の信号に基づいてＩＤを発信するＲＦＩＤタグに交換などする必要が発生することがある。
なおＲＦＩＤタグに関連する文献として特許文献１から３が開示されている。また複数の周波数の信号により異なる周波数に対応したＲＦＩＤタグと信号を送受信できる装置について非特許文献１に開示されている。
【先行技術文献】
【特許文献】
【０００３】
【特許文献１】国際公開第２００９／１４５００７号
【特許文献２】特開２００８−０９７５８４号公報
【特許文献３】特開２００７−３３４７０３号公報
【非特許文献】
【０００４】
【非特許文献１】加藤一器、外２名、「複数の周波数とタグプロトコルに対応したＲＦＩＤマルチリーダライタ」、ＮＥＣ技報、Ｖｏｌ．６２  Ｎｏ．４、２００９年、p.72-75
【発明の概要】
【発明が解決しようとする課題】
【０００５】
ところで既に利用されているＲＦＩＤタグに代えて新たな周波数によりＩＤを発信するＲＦＩＤタグを利用する場合には、既に利用されていたＲＦＩＤタグに記録されている情報を、新しいＲＦＩＤタグに容易に書き込むことができることが望まれている。
【０００６】
そこでこの発明は、上述の課題を解決するタグ管理装置、タグ管理方法、プログラムを提供することを目的としている。
【課題を解決するための手段】
【０００７】
本発明の第１の態様によれば、タグ管理装置は、コンテナに近づいた管理者の操作による読取開始の指示の検出に基づいて、異なる２つのＲＦＩＤタグであって前記コンテナに取り付けられている前記異なるＲＦＩＤのうち一方のデータ読み取り元のＲＦＩＤタグと前記コンテナに取り付けられている前記異なるＲＦＩＤタグのうちの他方のデータ書き込み先のＲＦＩＤタグとのそれぞれから発信される信号を検出する信号検出部と、前記異なるＲＦＩＤタグのうち一方のデータ読み取り元のＲＦＩＤタグに記録されていたデータを含む前記信号から当該データを取得し記録先に記録する記録部と、前記異なるＲＦＩＤタグのうち一方のデータ読み取り元のＲＦＩＤタグに記録されているデータを、他方のデータ書き込み先のＲＦＩＤタグに書き込む書き込み部と、新たな前記データ読み取り元のＲＦＩＤタグに記録されているデータを前記データ書き込み先のＲＦＩＤタグに書き込む前に、前記記録先に記録されているデータと、前記新たな前記データ読み取り元のＲＦＩＤタグに記録されているデータとを比較して、一致した場合に、当該一致の判定において用いた前記記録先に記録されているデータを格納している前記データ書き込み元のＲＦＩＤタグが取り付けられたコンテナの情報を含む警告情報を自装置に備わる表示部に出力する警告情報出力部と、を備える。
【０００８】
また本発明の第２の態様によれば、タグ管理方法は、タグ管理装置が、コンテナに近づいた管理者の操作による読取開始の指示の検出に基づいて、異なる２つのＲＦＩＤタグであって前記コンテナに取り付けられている前記異なるＲＦＩＤタグのうち一方のデータ読み取り元のＲＦＩＤタグと前記コンテナに取り付けられている前記異なるＲＦＩＤタグのうちの他方のデータ書き込み先のＲＦＩＤタグとのそれぞれから発信される信号を検出し、前記異なるＲＦＩＤタグのうち一方のデータ読み取り元のＲＦＩＤタグに記録されていたデータを含む前記信号から当該データを取得し記録先に記録し、前記異なるＲＦＩＤタグのうち一方のデータ読み取り元のＲＦＩＤタグに記録されているデータを、他方のデータ書き込み先のＲＦＩＤタグに書き込み、新たな前記データ読み取り元のＲＦＩＤタグに記録されているデータを前記データ書き込み先のＲＦＩＤタグに書き込む前に、前記記録先に記録されているデータと、前記新たな前記データ読み取り元のＲＦＩＤタグに記録されているデータとを比較して、一致した場合に、当該一致の判定において用いた前記記録先に記録されているデータを格納している前記データ書き込み元のＲＦＩＤタグが取り付けられたコンテナの情報を含む警告情報を自装置に備わる表示部に出力する。
【０００９】
また本発明の第３の態様によれば、プログラムは、タグ管理装置のコンピュータを、コンテナに近づいた管理者の操作による読取開始の指示の検出に基づいて、異なる２つのＲＦＩＤタグであって前記コンテナに取り付けられている前記異なるＲＦＩＤタグのうち一方のデータ読み取り元のＲＦＩＤタグと前記コンテナに取り付けられている前記異なるＲＦＩＤタグのうちの他方のデータ書き込み先のＲＦＩＤタグとのそれぞれから発信される信号を検出する信号検出手段、前記異なるＲＦＩＤタグのうち一方のデータ読み取り元のＲＦＩＤタグに記録されていたデータを含む前記信号から当該データを取得し記録先に記録する記録手段、前記異なるＲＦＩＤタグのうち一方のデータ読み取り元のＲＦＩＤタグに記録されているデータを、他方のデータ書き込み先のＲＦＩＤタグに書き込む書き込み手段、新たな前記データ読み取り元のＲＦＩＤタグに記録されているデータを前記データ書き込み先のＲＦＩＤタグに書き込む前に、前記記録先に記録されているデータと、前記新たな前記データ読み取り元のＲＦＩＤタグに記録されているデータとを比較して、一致した場合に、当該一致の判定において用いた前記記録先に記録されているデータを格納している前記データ書き込み元のＲＦＩＤタグが取り付けられたコンテナの情報を含む警告情報を自装置に備わる表示部に出力する警告情報出力手段、として機能させる。
【発明の効果】
【００１０】
本発明によれば、既に利用されていたＲＦＩＤタグに記録されている情報を、新しいＲＦＩＤタグに容易に書き込むことができる。
【図面の簡単な説明】
【００１１】
【図１】本発明の一実施形態によるタグ管理装置の構成を示すブロック図である。
【図２】本発明の一実施形態によるタグ管理装置の機能ブロック図である。
【図３】本発明の一実施形態によるタグ管理装置の処理フローを示す図である。
【図４】本発明の一実施形態によるタグ管理装置の最小構成を示す図である。
【発明を実施するための形態】
【００１２】
以下、本発明の一実施形態によるタグ管理装置を図面を参照して説明する。
図１は同実施形態によるタグ管理装置の構成を示すブロック図である。
この図で示すようにタグ管理装１は、ＣＰＵ（Central Processing Unit）１０１、ユーザＩＦ（Interface）１０２、ＲＦＩＤモジュール１０３、アンテナ１０４、ＲＯＭ（Read Only Memory）１０５、ＲＡＭ（Random Access Memory）１０６などの構成を備えている。ＲＦＩＤモジュール１０３は異なる周波数の信号をＲＦＩＤタグとの間で送受信する機能を備えている。図１においてＲＦＩＤモジュール１０３とアンテナ１０４は１つのみタグ装置１に設けられている状態を示しているが、周波数に応じた異なるＲＦＩＤモジュール１０３とアンテナ１０４を備えていてよい。ＲＦＩＤモジュール１０３は同一の周波数または異なる周波数により、複数のＲＦＩＤタグからの信号を読み取ることができてよい。ユーザＩＦは、例えばタグ管理装置１に設けられているタッチパネルやボタンなどと接続されている。タグ管理装置１はユーザが持ち運びできるように小型の装置であってよい。
【００１３】
図２はタグ管理装置の機能ブロック図である。
図２で示すようにタグ管理装置１は信号検出部１１、タグ判定部１２、比較部１３、書き込み部１４、タグ情報記録部１５、警告情報出力部１６、タグ情報出力部１７などの機能を備えている。タグ管理装置１のＣＰＵ１０１がタグ管理プログラムをＲＯＭ１０５等から読み込んで実行することによりこれらの機能がタグ管理装置１に構成される。
【００１４】
信号検出部１１は、異なるＲＦＩＤタグから発信される信号を検出する。
タグ判定部１２は、データ読み取り元のＲＦＩＤタグと、データ書き込み先のＲＦＩＤタグを判定する。
比較部１３は、データ読み取り元のＲＦＩＤタグから取得したデータと、データ書き込み先のＲＦＩＤタグから取得したデータとを比較する。
書き込み部１４は、異なるＲＦＩＤのうち一方のデータ読み取り元のＲＦＩＤタグに記録されているデータを、他方のデータ書き込み先のＲＦＩＤタグに書き込む。
タグ情報記録部１５は、データ読み取り元のＲＦＩＤタグから取得したデータを記憶部２０に記録する。
警告情報出力部１６は、複数のデータ読み取り元のＲＦＩＤタグに記録されているデータを記憶しておき、それらデータと、新たにデータを取得したデータ読み取り元のＲＦＩＤタグに記録されているデータとが比較された結果、一致していると判定された場合に警告情報を出力する。
タグ情報出力部１７は、読み取り元のＲＦＩＤタグから取得したデータや、書き込み先のＲＦＩＤタグから取得したデータを、ユーザＩＦ１０２を介してタグ管理装置１に備わるモニタなどに表示する。
【００１５】
なお上述のデータ読み取り元のＲＦＩＤタグは、データ書き込み先のＲＦＩＤタグに書き込むデータが既に記録されており、そのデータの読み取り元のＲＦＩＤタグである。データ書き込み先のＲＦＩＤタグからもデータを読み取ることができるため、データ読み取り元のＲＦＩＤタグは、データ書き込み先のＲＦＩＤタグに書き込むデータが既に記録されており、そのデータの読み取り元のＲＦＩＤタグと定義する。なお、以下、データ読み取り元のＲＦＩＤタグを旧タグ、データ書き込み先のＲＦＩＤタグを新タグと呼ぶこととする。
【００１６】
旧タグ例えばコンテナなどに既に取り付けられている。旧タグにはコンテナを識別するための情報が既に記録されている。例えば旧タグに既に記録されている情報は、コンテナを識別するタグＩＤ、コンテナの置かれている位置情報、旧タグの製造番号などであってよい。管理者は新たな周波数で情報を読み取ることのできる新タグをコンテナに取り付ける。新タグには旧タグに記録されている情報と同じ情報または旧タグに記録されている情報をその情報に基づいて変換した情報を記録する。本実施形態においては旧タグに記録されている情報やその情報に基づく変換情報を新タグに記録する際の管理者の労力を軽減することができる。
【００１７】
図３はタグ管理装置の処理フローを示す図である。
次にタグ管理装置１の処理を順に説明する。
管理者は旧タグが既に取り付けられているコンテナの当該旧タグの隣に新タグを取り付ける。例えばコンテナが多く設置されているコンテナヤードにおいて、既に旧タグが取り付けられているコンテナのうち必要なコンテナの全てに対して新タグを取り付ける。その後に管理者はあるコンテナの新タグと旧タグにタグ管理装置１を近づけて、読取開始の指示を行う。読取開始の指示は例えば管理者がタッチパネルに表示されている読取開始ボタンを押下する。読取開始の指示はＲＦＩＤモジュール１０３が検出する。ＲＦＩＤモジュール１０３は読取開始の指示を取得すると、異なる周波数を用いて旧タグと新タグに記録されているタグ情報を読み取る（ステップＳ３０１）。
【００１８】
ＲＦＩＤモジュール１０３は、旧タグが周波数Ａの信号の受信に基づいてタグ情報を含む信号を発信し、新タグが周波数Ｂの信号の受信に基づいてタグ情報を含む信号を発信する場合、周波数Ａの読み取り信号と、周波数Ｂの読み取り信号とを順に発信してよい。またはＲＦＩＤモジュール１０３は周波数Ａの読み取り信号と、周波数Ｂの読み取り信号とを同時に発信してよい。ＲＦＩＤモジュール１０３は周波数Ａと周波数Ｂの異なる信号でそれぞれ発信された信号を同時に取得する能力を保持していてよい。または周波数Ａと周波数Ｂの異なる信号が順に各タグから発信されるよう各タグは発信する信号の衝突の防止を行うアルゴリズムにより信号を発信してもよい。旧タグと新タグは同じ周波数の読み取り信号に基づいてタグ情報の信号を発信してもよい。この場合の各タグは発信する信号の衝突の防止を行うアルゴリズムにより信号を発信してよい。
【００１９】
ＲＦＩＤモジュール１０３で取得した旧タグと新タグの２つのタグ情報は信号検出部１１が取得する。なおこの時点で２つのタグ情報が取得できていない場合には信号検出部１１は旧タグと新タグの何れか一方または両方が異常であると判定してその情報を出力してもよい。信号検出部１１は２つのタグ情報をタグ判定部１２に出力する。タグ判定部１２は取得したタグ情報のタイミングに応じてそのタイミングでＲＦＩＤモジュール１０３が発信した信号の周波数を特定する。タグ判定部１２はタグ情報を取得した際の周波数の違いによって旧タグから読み取ったタグ情報か、新タグから読み取ったタグ情報かを判定する（ステップＳ３０２）。タグ判定部１２はタグ情報と旧タグか新タグかを示すタグ識別情報とを比較部１３へ出力する。またタグ判定部１２は旧タグの情報をタグ情報記録部１５へ出力する。タグ情報記録部１５は旧タグのタグ情報を記憶部２０へ記録していく。
【００２０】
タグ判定部１２はタグ情報を取得したタイミングによってタグ情報が新タグから取得したタグ情報か、旧タグから取得したタグ情報かを判定してもよい。例えばＲＦＩＤモジュール１０３が読取開始指示の後に周波数Ａの信号と周波数Ｂの信号とを発信するタイミングが予め決められており、各タイミングに基づいて、受信したタグ情報が旧タグから発信されたタグ情報か、新タグから発信されたタグ情報かを判定してもよい。
【００２１】
なおタグ判定部は、タグ情報のデータ内容に基づいて、旧タグから取得したタグ情報か新タグから取得したタグ情報かを判定してもよい。例えばタグ情報の予め定められた範囲に情報が格納されているタグ情報を旧タグのタグ情報、その定められた範囲に情報が格納されていないタグ情報を新タグのタグ情報と判定してもよい。またはタグ情報の体系に基づいて新タグのタグ情報か旧タグのタグ情報かを判定してもよい。
またタグ判定部は、ＲＦＩＤモジュール１０３で受信した信号の電界強度を取得して、この電界強度に基づいて旧タグから取得したタグ情報か新タグから取得したタグ情報かを判定してもよい。例えば旧タグと新タグの信号発信特性によって電界強度が異なる場合が想定される。またタグのコンテナへの取り付け位置によって各タグの発信した信号の電界強度が異なる場合がある。例えば旧タグはコンテナの配置状態における上方に予め取り付けられており、新タグは下方に取り付ける場合などがあってよい。
またタグ判定部は、ＲＦＩＤモジュール１０３が受信した信号に基づいて特定した信号の発信位置に基づいて、旧タグから取得したタグ情報か新タグから取得したタグ情報かを判定してもよい。この場合タグ判定部１２は信号発信位置を特定する機能を設けていてもよい。
【００２２】
比較部１３は２つのタグ情報を比較して一致していないかを判定する（ステップＳ３０３）。一致していた場合には既に新タグに旧タグのタグ情報を書き込んでいるため処理を停止する（ステップＳ３０４）。また比較部１３は旧タグと新タグが一致していない場合には、新タグに旧タグの情報が書き込まれていないと判定する。例えば新タグのタグ情報が初期状態の場合には比較部１３は比較結果が一致しないと判定する。比較部１３は旧タグの情報を書き込み部１４に出力する。
【００２３】
比較部１３は旧タグと新タグの２つのタグ情報をタグ情報出力部１７に出力してもよい（ステップＳ３０５）。この場合、タグ情報出力部１７は２つのタグ情報をタッチパネルに表示してよい。管理者はこれらのタグ情報を確認してから新タグへの旧タグのタグ情報の書き込み指示を行うようにしてもよい。
【００２４】
書き込み部１４は旧タグの情報を含む書き込み信号を新タグの周波数を用いて発信する（ステップＳ３０６）。これにより新タグは書き込み信号に基づいて、自タグの記憶部に旧タグのタグ情報を書き込む。なお新タグと旧タグで用いられる信号を同じ周波数である場合には、書き込み信号によって新タグと旧タグの両方に同じ旧タグの情報が書き込まれることとなってよい。なおタグ判定部１２によって新タグに不正なタグ情報が含まれていると判定されてよい。この場合、書き込み部１４は旧タグのタグ情報を新タグのタグ情報に上書きしてよい。
【００２５】
書き込み部は、旧タグのタグ情報を、新タグに書き込んだ後に、その新タグに記録された情報を取得するようＲＦＩＤモジュール１０３に指示する。ＲＦＩＤモジュール１０３は新タグからタグ情報を取得して書き込み部１４に直接タグ情報を出力する。書き込み部１４は書き込んだタグ情報と、そのタグ情報の書き込み後に新タグから取得したタグ情報の内容を比較して同一性を確認する。つまり書き込んだタグ情報とその後に新タグから読み取ったタグ情報が一致するかを判定する。そして一致した場合には旧タグのタグ情報を正確に書き込むことができたことを判定し処理を終了する。同一性が確認できたかどうかを示す情報をタッチパネルなどに表示してもよい。
【００２６】
なお書き込み部１４は旧タグにデータを書き込む際に、旧タグのタグ情報に基づいて新たなタグ情報へ変換して新タグへ書き込むようにしてもよい。この場合、例えばタグ情報に新たな情報を付加するなどして新たなタグ情報を生成して、そのタグ情報を新タグに書き込む。
【００２７】
なお上述の書き込み部１４が旧タグのタグ情報を新タグへ書き込む前に、警告情報出力部１６がそのタグ情報に問題が無いかを判定して問題がある場合には警告情報を出力するようにしてもよい。例えば、比較部１３は２つのタグ情報の比較の後に、旧タグのタグ情報を警告情報出力１６へ出力する。警告情報出力部１６は記憶部２０に記録されているタグ情報記録部１５によって過去に記録されたタグ情報を読み取る。そして警告情報出力部１６はそれらタグ情報を比較して一致する場合には警告情報を液晶モニタなどに出力して、書き込み部１４へ書き込みを停止するよう指示する。この処理によれば、過去にコンテナに取り付けられていた旧タグから取得したタグ情報と、新たな異なるコンテナの旧タグ
から取得したタグ情報とが一致したことを判定している。各コンテナの旧タグに含まれるタグ情報は全て異なることが必要な為、タグ情報が一致している場合には、異なるコンテナの各旧タグに同じタグ情報が含まれていることとなる。したがってこのような場合には警告情報出力部１６は警告情報を出力する。この警告情報にはタグ情報から特定したコンテナの位置情報やコンテナの識別番号などが含まれていてよい。
【００２８】
図４はタグ管理装置の最小構成を示す図である。
この図が示すようにタグ管理装置１は少なくとも、異なるＲＦＩＤタグから発信される信号を検出する信号検出部１１と、異なるＲＦＩＤのうち一方のデータ読み取り元のＲＦＩＤタグに記録されているデータを、他方のデータ書き込み先のＲＦＩＤタグに書き込む書き込み部１４とを備えていればよい。
【００２９】
上述のタグ管理装置１は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３１】
１・・・タグ管理装置
１１・・・信号検出部
１２・・・タグ判定部
１３・・・比較部
１４・・・書き込み部
１５・・・タグ情報記録部
１６・・・警告情報出力部
１７・・・タグ情報出力部
２・・・記憶部（ＲＯＭ、ＲＡＭ）
１０１・・・ＣＰＵ
１０２・・・ユーザＩＦ
１０３・・・ＲＦＩＤモジュール
１０４・・・アンテナ
１０５・・・ＲＯＭ
１０６・・・ＲＡＭ
【図１】
0006662134.tif 000002
【図２】
0006662134.tif 000003
【図３】
0006662134.tif 000004
【図４】
0006662134.tif 000005